(57)【要約】コンピュータウィルスの検索、発見、駆除をユーザに不安を与えることなく、しかも楽しんで行うことが可能なコンピュータウィルスの駆除方法とそのシステム及びコンピュータウィルス駆除プログラムと記録媒体を提供しようとすることを目的とし、それは、コンピュータに備えられたコンピュータウィルス駆除手段３０によりコンピュータウィルスの駆除作業が開始されると漫画やアニメのキャラクタ又は物語の登場人物の画像及び／又は音声が出力され、当該漫画やアニメ又は物語における特徴的なシーンや台詞によりコンピュータウィルスの駆除作業の状況を知らせることを特徴とするコンピュータウィルスの駆除方法とそのシステム及びコンピュータウィルス駆除プログラムと記録媒体を提供する。
2004040449.tif 000002
【特許請求の範囲】
【請求項１】
コンピュータに備えられたコンピュータウィルス駆除手段によりコンピュータウィルスの駆除作業が開始されると漫画やアニメのキャラクタ又は物語の登場人物の画像及び／又は音声が出力され、当該漫画やアニメ又は物語における特徴的なシーンや台詞によりコンピュータウィルスの駆除作業の状況を知らせることを特徴とするコンピュータウィルスの駆除方法。
【請求項２】
請求の範囲第１項に記載のコンピュータウィルスの駆除方法において、
前記コンピュータウィルス駆除手段により前記コンピュータ内にコンピュータウィルスが存在するかの検索作業が開始されると所定の画像及び／又は音声によりコンピュータウィルスの存在を検索していることを知らせる工程と、
前記コンピュータ内にコンピュータウィルスが発見された場合には所定の画像及び／又は音声によりコンピュータコンピュータウィルスが発見されたことを知らせる工程と、
発見されたコンピュータウィルスの駆除を行う場合には所定の所定の画像及び／又は音声により駆除していることを知らせる工程と、
を備えて構成されたことを特徴とするコンピュータウィルスの駆除方法。
【請求項３】
請求の範囲第１項又は第２項に記載のコンピュータウィルスの駆除方法において、
前記コンピュータは、新たなコンピュータウィルスを発見して削除するためのワクチンとコンピュータウィルスの駆除作業の状況を知らせるための新たな画像データ及び／又は音声データが登録されたサーバと通信回線を通じて接続可能とされており、前記コンピュータが前記サーバに接続して前記ワクチンのアップデートを行う際に前記新たな画像データ及び／又は音声データがダウンロードされ、それによりコンピュータウィルスの駆除作業の状況を知らせる画像及び／又は音声の種類が追加されることを特徴とするコンピュータウィルスの駆除方法。
【請求項４】
請求の範囲第１項〜第３項のいずれか１項に記載のコンピュータウィルスの駆除方法において、
コンピュータウィルスの駆除作業の状況を知らせる前記キャラクタ又は登場人物の画像及び／又は音声は、駆除したコンピュータウィルスの種類や駆除した数等の所定の条件を満たすごとにそれまでとは異なる画像及び／又は音声に変更されることを特徴とするコンピュータウィルスの駆除方法。
【請求項５】
請求の範囲第１項〜第４項のいずれか１項に記載のコンピュータウィルスの駆除方法において、
前記画像は、動画であることを特徴とするコンピュータウィルスの駆除方法。
【請求項６】
コンピュータに備えられたコンピュータウィルス駆除手段によりコンピュータウィルスの駆除作業が開始されると漫画やアニメのキャラクタ又は物語の登場人物の画像及び／又は音声が出力され、当該漫画やアニメ又は物語における特徴的なシーンや台詞によりコンピュータウィルスの駆除作業の状況を知らせるように構成されたことを特徴とするコンピュータウィルスの駆除システム。
【請求項７】
請求の範囲第６項に記載のコンピュータウィルスの駆除システムにおいて、
前記コンピュータウィルス駆除手段により前記コンピュータ内にコンピュータウィルスが存在するかの検索作業が開始されると所定の画像及び／又は音声によりコンピュータウィルスの存在を検索していることを知らせる手段と、
前記コンピュータ内にコンピュータウィルスが発見された場合には所定の画像及び／又は音声によりコンピュータコンピュータウィルスが発見されたことを知らせる手段と、
発見されたコンピュータウィルスの駆除を行う場合には所定の画像及び／又は音声により駆除していることを知らせる手段と、
を備えて構成されたことを特徴とするコンピュータウィルスの駆除システム。
【請求項８】
請求の範囲第７項に記載のコンピュータウィルスの駆除システムにおいて、
前記コンピュータは、新たなコンピュータウィルスを発見して削除するためのワクチンとコンピュータウィルスの駆除作業の状況を知らせるための新たな画像データ及び／又は音声データが登録されたサーバと通信回線を通じて接続する手段と、
前記接続手段により前記コンピュータが前記サーバに接続して前記ワクチンのアップデートを行う手段と、
前記ワクチンのアップデートを行う際に前記新たな画像データ及び／又は音声データがダウンロードされ、それによりコンピュータウィルスの駆除作業の状況を知らせる画像及び／又は音声の種類が追加される手段と、
を備えて構成されたことを特徴とするコンピュータウィルスの駆除システム。
【請求項９】
請求の範囲第６項又は第７項に記載のコンピュータウィルスの駆除システムにおいて、
コンピュータウィルスの駆除作業の状況を知らせる前記キャラクタ又は登場人物の画像及び／又は音声は、駆除したコンピュータウィルスの種類や駆除した数等の所定の条件を満たすごとにそれまでとは異なる画像及び／又は音声に変更する手段を備えて構成されたことを特徴とするコンピュータウィルスの駆除方法。
【請求項１０】
請求の範囲第６項〜第９項のいずれか１項に記載のコンピュータウィルスの駆除システムにおいて、
前記画像は、動画であることを特徴とするコンピュータウィルスの駆除システム。
【請求項１１】
コンピュータに備えられたコンピュータウィルス駆除手段によりコンピュータウィルスの駆除作業が開始されると漫画やアニメのキャラクタ又は物語の登場人物の画像及び／又は音声が出力され、当該漫画やアニメ又は物語における特徴的なシーンや台詞によりコンピュータウィルスの駆除作業の状況を知らせることをコンピュータに実行させることを特徴とするコンピュータウィルスの駆除プログラム。
【請求項１２】
請求の範囲第１１項に記載のコンピュータウィルスの駆除プログラムにおいて、
前記コンピュータウィルス駆除手段により前記コンピュータ内にコンピュータウィルスが存在するかの検索作業が開始されると所定の画像及び／又は音声によりコンピュータウィルスの存在を検索していることを知らせる工程と、
前記コンピュータ内にコンピュータウィルスが発見された場合には所定の画像及び／又は音声によりコンピュータコンピュータウィルスが発見されたことを知らせる工程と、
発見されたコンピュータウィルスの駆除を行う場合には所定の所定の画像及び／又は音声により駆除していることを知らせる工程と、
をコンピュータに実行させることを特徴とするコンピュータウィルスの駆除プログラム。
【請求項１３】
請求の範囲第１１項又は第１２項に記載のコンピュータウィルスの駆除プログラムにおいて、
新たなコンピュータウィルスを発見して削除するためのワクチンとコンピュータウィルスの駆除作業の状況を知らせるための新たな画像データ及び／又は音声データが登録されたサーバと通信回線を通じて接続し、前記ワクチンのアップデートを行う際に前記新たな画像データ及び／又は音声データを入手することにより前記コンピュータの表示装置に表示する画像の種類を追加することをコンピュータに実行させることを特徴とするコンピュータウィルスの駆除プログラム。
【請求項１４】
請求の範囲第１１項〜第１３項のいずれか１項に記載のコンピュータウィルスの駆除プログラムにおいて、
コンピュータウィルスの駆除作業の状況を知らせる前記キャラクタ又は登場人物の画像及び／又は音声は、駆除したコンピュータウィルスの種類や駆除した数等の所定の条件を満たすごとにそれまでとは異なる画像及び／又は音声に変更することをコンピュータに実行させることを特徴とするコンピュータウィルスの駆除プログラム。
【請求項１５】
請求の範囲第１１項〜第１４項のいずれか１項に記載のコンピュータウィルスの駆除プログラムを記録したことを特徴とする記録媒体。
【発明の詳細な説明】
【技術分野】  本発明は、コンピュータウィルスの駆除方法とシステム及びコンピュータウィルス駆除プログラムと記録媒体に関し、さらに詳しくは、漫画やアニメのキャラクタ又は物語の登場人物の画像を表示して、当該漫画やアニメ又は物語における特徴的なシーンや台詞によりコンピュータウィルスの駆除作業の状況を知らせるようにしたコンピュータウィルスの駆除方法とシステム及びコンピュータウィルス駆除プログラムと記録媒体に関する。
技術の背景
今日、インターネットに代表される通信ネットワークの急激な普及により、多くの人たちが手軽に通信ネットワークに接続して各種の情報の入手及び発信を簡単に行うことができるようになってきている。すなわち、各家庭にはパーソナルコンピュータやＰＤＡ等の情報処理端末が備えられ、電話回線等の通信回線を介してＩＳＰ（インターネット・サービス・プロバイダ）に接続して、インターネット上のホームページを閲覧したり、電子メールによるコミュニケーションを図ることが行なわれている。
このように、多くの人たちが手軽に通信ネットワークに接続することができるようになった結果、それらの人々のコンピュータもコンピュータウィルスの脅威に晒される事態となった。そのため、かかるコンピュータウィルスからコンピュータシステムやデータを守るためにウィルス駆除ソフトをコンピュータにインストールしておき、それによって進入してきたコンピュータウィルスを駆除することが行なわれている。
コンピュータが一旦コンピュータウィルスに感染するとコンピュータの正常な動作が妨げられるのみならず、コンピュータ内に保存されているデータ等が消去・破壊等されるほか、コンピュータ内に記録された電子メールアドレスに対してコンピュータウィルスの分身を添付して接続された通信ネットワークを介して送りつけ、送られたコンピュータでの感染を誘発する等、重大な被害を与えることとなる。そこで、従来のコンピュータウィルス駆除ソフトにあってはコンピュータ内でコンピュータウィルスを発見すると、感染を警告するメッセージを表示して危険を知らせることが行なわれている（例えば、特開平７−３１９６９０号公報参照）。
ところで、コンピュータの普及に伴ってキーボード入力の練習をするための練習用プログラムが種々提供されており、その中には、例えば、アニメのキャラクタを登場させると共に、練習自体にゲーム性を持たせることにより無味乾燥になりがちなキーボード入力の練習を楽しく行わせるようにしたものがある（例えば特開２００２−２８２５４４号公報、特開２００２−３２０１１号公報参照）。
しかし、従来のコンピュータウィルス駆除ソフトにあっては、コンピュータ内にコンピュータウィルスが発見された場合には、当該コンピュータが極めて危険な状態に曝されていることを知らせる必要があることから、例えば、赤字で「警告！」の文字を点滅表示させる等、感染を警告するメッセージはそれを見る者にとっていかにも危険な状況であることを認識してもらうためのメッセージがほとんどであった。また、コンピュータウィルスは上述したように自己のコンピュータのみならずネットワークに接続された他のコンピュータに感染して深刻なダメージを与えるおそれがある。そのため、キーボード入力練習ソフトのようにアニメのキャラクタを利用するような遊びの要素を加えることはこれまで全く行なわれていなかった。
また、コンピュータやコンピュータウィルスに関する知識があまりないユーザにとっては感染を警告するメッセージを見ただけで不安となってしまい、その警告に対してどのように対処したらよいか判断に迷ってしまうことがある。
そこで、本発明はかかる点に鑑み、コンピュータウィルスの検索、発見、駆除をユーザに不安を与えることなく、しかも楽しんで行うことが可能なコンピュータウィルスの駆除方法とそのシステム及びコンピュータウィルス駆除プログラムと記録媒体を提供しようとするものである。
【発明の開示】
上述した本発明の目的を達成するために請求の範囲第１項に記載の本発明は、コンピュータに備えられたコンピュータウィルス駆除手段によりコンピュータウィルスの駆除作業が開始されると漫画やアニメのキャラクタ又は物語の登場人物の画像及び／又は音声が出力され、当該漫画やアニメ又は物語における特徴的なシーンや台詞によりコンピュータウィルスの駆除作業の状況を知らせることを特徴とするコンピュータウィルスの駆除方法を提供する。
上述した本発明の目的を達成するために請求の範囲第２項に記載の本発明は、請求の範囲第１項に記載のコンピュータウィルスの駆除方法において、コンピュータウィルス駆除手段によりコンピュータ内にコンピュータウィルスが存在するかの検索作業が開始されると所定の画像及び／又は音声によりコンピュータウィルスの存在を検索していることを知らせる工程と、コンピュータ内にコンピュータウィルスが発見された場合には所定の画像及び／又は音声によりコンピュータコンピュータウィルスが発見されたことを知らせる工程と、発見されたコンピュータウィルスの駆除を行う場合には所定の所定の画像及び／又は音声により駆除していることを知らせる工程とを備えて構成されたことを特徴とする。
上述した本発明の目的を達成するために請求の範囲第３項に記載の本発明は、請求の範囲第１項又は第２項に記載のコンピュータウィルスの駆除方法において、コンピュータは、新たなコンピュータウィルスを発見して削除するためのワクチンとコンピュータウィルスの駆除作業の状況を知らせるための新たな画像データ及び／又は音声データが登録されたサーバと通信回線を通じて接続可能とされており、コンピュータがサーバに接続してワクチンのアップデートを行う際に新たな画像データ及び／又は音声データがダウンロードされ、それによりコンピュータウィルスの駆除作業の状況を知らせる画像及び／又は音声の種類が追加されることを特徴とする。
上述した本発明の目的を達成するために請求の範囲第４項に記載の本発明は、請求の範囲第１項〜第３項のいずれか１項に記載のコンピュータウィルスの駆除方法において、コンピュータウィルスの駆除作業の状況を知らせるキャラクタ又は登場人物の画像及び／又は音声は、駆除したコンピュータウィルスの種類や駆除した数等の所定の条件を満たすごとにそれまでとは異なる画像及び／又は音声に変更されることを特徴とする。
上述した本発明の目的を達成するために請求の範囲第５項に記載の本発明は、請求の範囲第１項〜第４項のいずれか１項に記載のコンピュータウィルスの駆除方法において、画像は、動画であることを特徴とする。
上述した本発明の目的を達成するために請求の範囲第６項に記載の本発明は、コンピュータに備えられたコンピュータウィルス駆除手段によりコンピュータウィルスの駆除作業が開始されると漫画やアニメのキャラクタ又は物語の登場人物の画像及び／又は音声が出力され、当該漫画やアニメ又は物語における特徴的なシーンや台詞によりコンピュータウィルスの駆除作業の状況を知らせるように構成されたことを特徴とするコンピュータウィルスの駆除システムを提供する。
上述した本発明の目的を達成するために請求の範囲第７項に記載の本発明は、請求の範囲第６項に記載のコンピュータウィルスの駆除システムにおいて、コンピュータウィルス駆除手段によりコンピュータ内にコンピュータウィルスが存在するかの検索作業が開始されると所定の画像及び／又は音声によりコンピュータウィルスの存在を検索していることを知らせる手段と、コンピュータ内にコンピュータウィルスが発見された場合には所定の画像及び／又は音声によりコンピュータコンピュータウィルスが発見されたことを知らせる手段と、発見されたコンピュータウィルスの駆除を行う場合には所定の所定の画像及び／又は音声により駆除していることを知らせる手段とを備えて構成されたことを特徴とする。
上述した本発明の目的を達成するために請求の範囲第８項に記載の本発明は、請求の範囲第７項に記載のコンピュータウィルスの駆除システムにおいて、コンピュータは、新たなコンピュータウィルスを発見して削除するためのワクチンとコンピュータウィルスの駆除作業の状況を知らせるための新たな画像データ及び／又は音声データが登録されたサーバと通信回線を通じて接続する手段と、接続手段によりコンピュータがサーバに接続してワクチンのアップデートを行う手段と、ワクチンのアップデートを行う際に新たな画像データ及び／又は音声データがダウンロードされ、それによりコンピュータウィルスの駆除作業の状況を知らせる画像及び／又は音声の種類が追加される手段とを備えて構成されたことを特徴とする。
上述した本発明の目的を達成するために請求の範囲第９項に記載の本発明は、請求の範囲第６項又は第７項に記載のコンピュータウィルスの駆除システムにおいて、コンピュータウィルスの駆除作業の状況を知らせるキャラクタ又は登場人物の画像及び／又は音声は、駆除したコンピュータウィルスの種類や駆除した数等の所定の条件を満たすごとにそれまでとは異なる画像及び／又は音声に変更する手段を備えて構成されたことを特徴とする。
上述した本発明の目的を達成するために請求の範囲第１０項に記載の本発明は、請求の範囲第６項〜第９項のいずれか１項に記載のコンピュータウィルスの駆除システムにおいて、画像は、動画であることを特徴とする。
上述した本発明の目的を達成するために請求の範囲第１１項に記載の本発明は、コンピュータに備えられたコンピュータウィルス駆除手段によりコンピュータウィルスの駆除作業が開始されると漫画やアニメのキャラクタ又は物語の登場人物の画像及び／又は音声が出力され、当該漫画やアニメ又は物語における特徴的なシーンや台詞によりコンピュータウィルスの駆除作業の状況を知らせることをコンピュータに実行させることを特徴とするコンピュータウィルスの駆除プログラムを提供する。
上述した本発明の目的を達成するために請求の範囲第１２項に記載の本発明は、請求の範囲第１１項に記載のコンピュータウィルスの駆除プログラムにおいて、コンピュータウィルス駆除手段によりコンピュータ内にコンピュータウィルスが存在するかの検索作業が開始されると所定の画像及び／又は音声によりコンピュータウィルスの存在を検索していることを知らせる工程と、コンピュータ内にコンピュータウィルスが発見された場合には所定の画像及び／又は音声によりコンピュータコンピュータウィルスが発見されたことを知らせる工程と、発見されたコンピュータウィルスの駆除を行う場合には所定の所定の画像及び／又は音声により駆除していることを知らせる工程とをコンピュータに実行させることを特徴とする。
上述した本発明の目的を達成するため請求の範囲第１３項に記載の本発明は、請求の範囲第１１項又は第１項２に記載のコンピュータウィルスの駆除プログラムにおいて、新たなコンピュータウィルスを発見して削除するためのワクチンとコンピュータウィルスの駆除作業の状況を知らせるための新たな画像データ及び／又は音声データが登録されたサーバと通信回線を通じて接続し、ワクチンのアップデートを行う際に新たな画像データ及び／又は音声データを入手することによりコンピュータの表示装置に表示する画像の種類を追加することをコンピュータに実行させることを特徴とする。
上述した本発明の目的を達成するために請求の範囲第１４項に記載の本発明は、請求の範囲第１１項〜第１３項のいずれか１項に記載のコンピュータウィルスの駆除プログラムにおいて、コンピュータウィルスの駆除作業の状況を知らせるキャラクタ又は登場人物の画像及び／又は音声は、駆除したコンピュータウィルスの種類や駆除した数等の所定の条件を満たすごとにそれまでとは異なる画像及び／又は音声に変更することをコンピュータに実行させることを特徴とする。
上述した本発明の目的を達成するために請求の範囲第１５項に記載の本発明は、請求の範囲第１１項〜第１４項のいずれか１項に記載のコンピュータウィルスの駆除プログラムを記録したことを特徴とする記録媒体を提供する。
【図面の簡単な説明】  第１図は、本発明に係るコンピュータウィルスの駆除システムが搭載されるパーソナルコンピュータの一実施形態を示すブロック図である。
第２図は、本発明に係るコンピュータウィルスの駆除システムの一実施形態のブロック図である。
第３図は、図２のコンピュータウィルスの駆除システムとサーバとの関係を示すブロック図である。
第４図は、サーバの一実施形態のブロック図である。
第５図は、本発明に係るコンピュータウィルスの駆除方法の一実施形他のフローチャートである。
第６図は、画像及び音声を更新する工程を示すフローチャートである。
第７図は、画像及び音声を変更する工程を示すフローチャートである。
第８図は、表示される画面の一実施形態を示す説明図である。
【発明を実施するための最良の形態】  以下、本発明に係るコンピュータウィルスの駆除方法とそのシステム及びコンピュータウィルス駆除プログラムについて好ましい一実施形態を示しながら以下詳細に説明する。図１は、本発明に係るコンピュータウィルスの駆除システムが搭載されるパーソナルコンピュータの一実施形態を示すブロック図である。
図示されたパーソナルコンピュータ２０は、概略として、入力装置２１と、記憶装置２２と、音響装置２３と、表示装置２４と、中央処理装置２５と、通信装置２６とを備えて構成されている一般的なコンピュータである。
入力装置２１は、キーボードやマウス等のポインティングデバイス等のコンピュータにデータを入力するための装置であり、記憶装置２２はハードディスクやメモリ及びＭＯドライブ、ＣＤ−ＲＯＭドライブ、ＤＶＤドライブ等から構成され、各種のアプリケーションプログラムやデータ等を格納する。
音響装置２３は、例えば、パーソナルコンピュータ２０内に設けられたＰＣＩスロットに差し込む図示しないサウンドカードとスピーカから構成され、外部に音楽をはじめ音声や効果音等のサウンドを出力する。
表示装置２４は、例えば、ＣＲＴや液晶画面により構成され、文字や画像により必要な情報の表示を行う。中央処理装置２５は搭載されたアプリケーションプログラムに基づいて各種の処理を行う。
通信装置２６はＴＣＰ（Ｔｒａｎｓｍｉｓｓｉｏｎ  Ｃｏｎｔｒｏｌ  Ｐｒｏｔｏｃｏｌ）／ＩＰ（Ｉｎｔｅｒｎｅｔ  Ｐｒｏｔｏｃｏｌ）に従ってデータ及び／又はスクリプトを送受信するための装置であるダイアルアップルータ、ターミナルアダプタ、モデム等により構成される。本実施形態におけるパーソナルコンピュータ２０は通信装置２６を介してインターネット５に接続されている。尚、インターネット５には通常ＩＳＰを介して接続可能とされるが図では省略した。
かかる構成を備えたパーソナルコンピュータ２０内にプログラムをインストールすることによりコンピュータウィルスの駆除システム１が形成される。すなわち、コンピュータウィルスの駆除システム１は、図２に示すように、コンピュータウィルス駆除手段３０と、コンピュータウィルスの検索、発見、駆除を示す画像データ及び音声データが収められた画像・音声ＤＢ３９と、コンピュータウィルス駆除手段３０の検索、発見、駆除の各動作に同期して画像・音声ＤＢ３９からその状態を示す画像データ及び音声データを選択して表示装置２４及び音響装置２３に送る選択手段３７を備えている。
画像・音声ＤＢ３９は、コンピュータウィルスを検索中であることを示す画像データ及び音声データと、コンピュータウィルスを発見したことを示す画像データ及び音声データと、コンピュータウィルスを駆除したことを示す画像データ及び音声データが収められている。
コンピュータウィルス駆除手段３０は、コンピュータウィルスの情報を分析してパターン化したウィルス定義ファイルを集めたウィルス定義ＤＢ３１と、検査対象のファイルやデータをウィルス定義ＤＢ３１のウィルス定義ファイルと照合し、その結果、ウィルス定義ＤＢ３１にあるパターンとの一致を認めるとそのファイル又はデータにコンピュータウィルスが存在するものと判断する検索手段３３と、当該発見されたコンピュータウィルスを除去し又はコンピュータウィルスが添付されていたファイルやデータごとコンピュータウィルスを削除する駆除手段３５を備えている。本発明においてコンピュータウィルス駆除手段３０の動作は特に限定されるものではなく、どのような駆除エンジンであってもよい。
選択手段３７は、コンピュータウィルス駆除手段３０の検索、発見、駆除の各動作を検出し、その状況に基づいて画像・音声ＤＢ３９に収められた画像データ・音声データの中から現在の処理状況にマッチした画像データ・音声データを選択して音響装置２３及び表示装置２４に送る。例えば、コンピュータウィルスの駆除を開始して検査対象のファイルやデータをウィルス定義ＤＢ３１のウィルス定義ファイルと照合をはじめると選択手段３７により画像・音声ＤＢ３９に収められた画像データ・音声データの中から検索中であることを示す画像データ・音声データが選択されてコンピュータウィルスの検索中であることが画像と音声で示される。そして、パーソナルコンピュータ２０内にコンピュータウィルスが発見されると選択手段３７により画像・音声ＤＢ３９に収められた画像データ・音声データの中からコンピュータウィルスが発見されたことを示す画像データ・音声データが選択されて、コンピュータウィルスが発見されたことが画像と音声で示される。同様に、コンピュータウィルスの駆除を行うと選択手段３７により画像・音声ＤＢ３９に収められた画像データ・音声データの中からコンピュータウィルスが駆除されたことを示す画像データ・音声データが選択されて駆除されたことが画像と音声で示されるようになっている。尚、本実施形態においては画像と音声の両方でコンピュータウィルスの駆除作業の状況を知らせるようになっているが、これに限定されるものではなく、画像のみ又は音声のみで駆除作業の状況を知らせるように構成してももちろんかまわない。
ここで、表示装置２４に表示される画面の一実施形態を図８に示す。表示装置２４の画面上部にはコンピュータウィルス駆除手段３０を起動、動作、終了等させるために必要な作業ボタン２４１が配置され、画面の左側にはパーソナルコンピュータ２０のファイル構造を表示するファイル構造表示エリア２４３が設けられ、パーソナルコンピュータ２０のファイル構造が階層形式で表示されるようになっている。そして、画面のほぼ中央に画像表示エリア２４５が配置され、この画像表示エリア２４５画像が表示される。
本コンピュータウィルスの駆除システムにおける画像は、漫画やアニメのキャラクタ又は物語の登場人物の画像が用いられる。そして、当該漫画やアニメ又は物語における特徴的なシーンや台詞によりコンピュータウィルスの駆除作業の状況が示される。例えば、物語が昔話である「桃太郎」であれば、検索中の画像を桃太郎が鬼が島を探している場面とし、コンピュータウィルスが発見されたときの画像を桃太郎が鬼が島を発見した場面とし、コンピュータウィルスの駆除をしているときの画像を桃太郎が鬼退治をしている場面の画像とする。これにより、ユーザは作業がどの段階であるかを容易に判断することができ、たとえ自己のコンピュータ内にコンピュータウィルスが発見されたとしても不安を持つことなく駆除作業を行うことが可能となる。
この場合、画像・音声ＤＢ３９に収める画像データを動画データとすることもできる。表示装置２４に表示される画像を動画とすることによりさらに楽しさがアップし、さらなる安心感をユーザに与えることができる。尚、動画ファイルは所定時間再生可能なものをエンドレス再生させることで保存する動画ファイルのサイズを制限して記憶装置２２に与える容量の圧迫を防止することができる。
本コンピュータウィルスの駆除システム１は、また、新たなコンピュータウィルスを発見して削除するためのワクチン及びコンピュータウィルスの駆除作業の状況を知らせるための新たな画像データと音声データが登録されたサーバ１０とインターネット５を通じて接続する手段と、サーバ１０に接続してワクチンのアップデートを行う手段と、ワクチンのアップデートを行う際に新たな画像データ及び／又は音声データがダウンロードされてコンピュータウィルスの駆除作業の状況を知らせる画像及び／又は音声の種類が追加される手段とを備えて構成されている。
すなわち、図３に示すように、本コンピュータウィルスの駆除システム１は、通信装置２６によりインターネット５へ接続可能とされており、インターネット５にはサーバ１０が接続されている。ここで、サーバ１０も上述したパーソナルコンピュータ２０と同様に、入力装置と、記憶装置と、表示装置と、中央処理装置と、通信装置とを備えて構成されている一般的なコンピュータである（図示せず）。図４に示すように、このサーバ１０の記憶装置には、新たなコンピュータウィルスを発見して削除するためのウィルス定義ファイルであるワクチンファイルを記録保存した新ワクチンファイルＤＢ１１と、新たな画像データと音声データを登録した新画像・音声ＤＢ１３とが備えられている。また、パーソナルコンピュータ２０内のウィルス定義ＤＢ３１に記録されているウィルス定義ファイルと新ワクチンファイルＤＢ１１に記録されているウィルス定義ファイルとを対比して必要なファイルの更新を行う更新手段１５を備えている。一方、図２に示すように、コンピュータウィルスの駆除システム１にはアップデート手段４０が設けられている。このアップデート手段４０は、インターネット５を介してサーバ１０にアップデート要求を送ることにより、通信手段１７を介してサーバ１０に備えられた更新手段１５を動作させ、パーソナルコンピュータ２０内のウィルス定義ＤＢ３１に記録されているウィルス定義ファイルと新ワクチンファイルＤＢ１１に記録されているウィルス定義ファイルとを対比し、ウィルス定義ＤＢ３１に新ワクチンファイルＤＢ１１に登録されたウィルス定義ファイルがない場合にはそれをダウンロードしてウィルス定義ＤＢ３１の更新を行う。これにより、ウィルス定義ＤＢ３１に新たなウィルス定義ファイルが加えられると共に新たな画像データ及び音声データが画像・音声ＤＢ３９に追加される。
本コンピュータウィルスの駆除システム１は、さらに、コンピュータウィルスの駆除作業の状況を知らせるキャラクタ又は登場人物の画像と音声を駆除したコンピュータウィルスの種類や駆除した数等の所定の条件を満たすごとにそれまでとは異なる画像と音声に変更する手段を備えて構成されている。すなわち、コンピュータウィルスの駆除システム１は、図２に示すように、検索手段３３によりシステムの検索が行われた回数や駆除手段３５により駆除したコンピュータウィルスの種類や回数等を記憶装置２２に履歴データとして記録保存し、その履歴データから予め設定した駆除回数や駆除したコンピュータウィルスの種類や回数等と照合し、駆除回数がその回数に達した場合や駆除したコンピュータウィルスが予め設定したコンピュータウィルスと同一だった場合にはそれを検出してそれまでとは異なる画像と音声に変更する変更手段４１を備えて構成されている。例えば、駆除した回数が所定の回数を超えるごとに表示されるキャラクタの姿を子供から大人へ成長していくようにすればコンピュータウィルスを駆除するごとにキャラクタが進化していくようにすることができ、さらにコンピュータウィルスの駆除を楽しくさせることができる。また、「クレズ」「ニムダ」といった危険度の高いコンピュータウィルスを駆除した場合にだけ表示される画像や音声を用意しておくこともできる。この場合、音声データとして「クレズ覚悟しろ！」等の台詞を用意しておくことによりそのようなコンピュータウィルスを発見した場合には表示されるキャラクタに台詞として喋らせることもできる。
尚、コンピュータウィルスは、例えば、電子メールに添付されてコンピュータ内に進入することが多く、その他、ホームページの閲覧やファイルのダウンロード等によってもコンピュータ内に侵入してくる可能性がある。この場合、ある期間経過するごとにコンピュータウィルスの駆除システム１を動作させてパーソナルコンピュータ２０内の検索を行うこともできるが、コンピュータウィルスの駆除システム１を常に動作状態としておくことによりパーソナルコンピュータ２０内にインターネット５を介して蓄積されるファイルやデータを逐次検索し、万一コンピュータウィルスが発見された場合には直ぐに駆除処理を行うことができるのでパーソナルコンピュータ２０を安全な状態に保つことができる。
次に、上述したコンピュータウィルスの駆除システム１の動作を説明すると共に、本発明に係るコンピュータウィルスの駆除方法について説明する。図５は本発明に係るコンピュータウィルスの駆除方法の一実施形態を示したフローチャートである。まず、コンピュータウィルスの駆除システム１を動作状態としてコンピュータウィルス駆除手段３０によりパーソナルコンピュータ２０内のファイルやデータにコンピュータウィルスの検索を開始する（ステップＳ１１）。検索が開始されると選択手段３７はコンピュータウィルス駆除手段３０がコンピュータウィルスの検索を開始したことを検出し、検索中であることを示す画像データ及び音声データを画像・音声ＤＢ３９に収められた画像データ・音声データの中から選択して音響装置２３及び表示装置２４に送り出力する。これにより表示装置２４には漫画やアニメのキャラクタ又は物語の登場人物等が表示されると共に音声が出力され、当該漫画やアニメ又は物語における特徴的なシーンや台詞で駆除作業の状況が示される（ステップＳ２１）。これによりユーザは、あじけない検索作業中の画面を楽しむことができる。パーソナルコンピュータ２０内にコンピュータウィルスが発見されなかった場合には発見されなかった旨の画像及び音声が出力されてコンピュータウィルス駆除は終了する（ステップＳ１５）。
一方、パーソナルコンピュータ２０内にコンピュータウィルスが発見された場合には（ステップＳ１２）、選択手段３７はコンピュータウィルス駆除手段３０がコンピュータウィルスを発見したことを検出し、発見したことを示す画像データ及び音声データを画像・音声ＤＢ３９に収められた画像データ・音声データの中から選択して音響装置２３及び表示装置２４に送り出力する（ステップＳ２２）。そして、発見されたコンピュータウィルスを駆除する場合（ステップＳ１３）には、選択手段３７がコンピュータウィルスを駆除することを検出し、駆除中であることを示す画像データ及び音声データを画像・音声ＤＢ３９に収められた画像データ・音声データの中から選択して音響装置２３及び表示装置２４に送り出力する（ステップＳ２３）。駆除が成功すると選択手段３７はコンピュータウィルスを駆除したことを検出し、駆除が成功したことを示す画像データ及び音声データを画像・音声ＤＢ３９に収められた画像データ・音声データの中から選択して音響装置２３及び表示装置２４に送り出力する（ステップＳ２４）。そして、パーソナルコンピュータ２０内の選択した全てファイルやデータについて上述の動作が繰り返され、全てのファイルやデータの検索が終了するとコンピュータウィルス駆除は終了する（ステップＳ１５）。尚、コンピュータウィルスが発見されたにもかかわらず駆除しない場合やコンピュータウィルスの駆除が成功しなかった場合にもコンピュータウィルス駆除は終了する（ステップＳ１５）。もちろん、この場合にも、その状況にふさわしい画像や音声を出力させることもできるのはいうまでもない。
次に、サーバ１０に接続して新たなコンピュータウィルスを発見して削除するためのワクチンとコンピュータウィルスの駆除作業の状況を知らせるための新たな画像データ及び音声データのアップデートを行う方法について説明する。図６はアップデートの動作を示すフローチャートである。
まず、コンピュータウィルスの駆除システム１のアップデート手段４０を動作させて通信装置２６によりインターネット５を介してサーバ１０に接続して（ステップＳ３１）アップデート要求を送る（ステップＳ３２）。すると、サーバ１０は、通信手段１７を介してアップデート要求を受け取ると共に、アップデート要求はサーバ１０に備えられた更新手段１５を動作させ、パーソナルコンピュータ２０内のウィルス定義ＤＢ３１に記録されているウィルス定義ファイルと新ワクチンファイルＤＢ１１に記録されているウィルス定義ファイルとを対比し（ステップＳ３３）、ウィルス定義ＤＢ３１に新ワクチンファイルＤＢ１１に登録されたウィルス定義ファイルがない場合にはそれをダウンロードしてウィルス定義ＤＢ３１の更新を行う（ステップＳ３５）。これにより、ウィルス定義ＤＢ３１に新たなウィルス定義ファイルが加えられると共に新たな画像データ及び音声データが画像・音声ＤＢ３９に追加される。
次に、コンピュータウィルスの駆除作業の状況を知らせる画像や音声が駆除したコンピュータウィルスの種類や駆除した数等の所定の条件を満たすごとにそれまでとは異なる画像や音声に変更される方法について説明する。図７に示すのは、画像及び音声の変更方法を示すフローチャートである。
まず、検索が行われた回数や駆除したコンピュータウィルスの種類や回数等により出力させる画像や音声を変更させるための条件を設定すると共に、その条件に達した場合に出力する画像データ及び音声データを指定して変更手段４１の設定を行う（ステップＳ４１）。そして、コンピュータウィルス駆除手段３０を動作させてコンピュータウィルスの検索を開始する（ステップＳ４２）。そして、検索を行った回数や駆除したコンピュータウィルスの種類や回数等を記憶装置２２に記録して履歴データとして保存する（ステップＳ４３）。その履歴データに基づいて予め変更手段４１に設定しておいた駆除回数や駆除したコンピュータウィルスの種類や回数等と照合し（ステップＳ４４）、駆除回数がその回数に達した場合や駆除したコンピュータウィルスが予め設定したコンピュータウィルスと同一だった場合にはそれを検出して出力する画像と音声をそれまでとは異なる画像と音声に変更する（ステップＳ４５）。このように構成することにより危険で不安なコンピュータウィルスの駆除作業をユーザに楽しんで行ってもらうことが可能となる。
上述した方法は、コンピュータをコンピュータウィルスの駆除システムとして機能させるためのコンピュータウィルス駆除プログラムとすることもできる。当該コンピュータプログラムは、フロッピーディスク、ＣＤ−ＲＯＭ、ＭＯ、ＤＶＤ−ＲＯＭ等のコンピュータ読み取り可能な記録媒体に記録保存される。そして、かかるコンピュータプログラムをコンピュータにインストールすることにより当該コンピュータをコンピュータウィルスの駆除システムとして機能させることが可能となる。もちろん、コンピュータプログラム自体はそのような記録媒体を介さずインターネット等の通信回線を通じて配布することもできる。
【産業上の利用可能性】  以上、説明したように本発明に係るコンピュータウィルスの駆除方法とシステム及びコンピュータウィルス駆除プログラムと記録媒体によれば、コンピュータウィルスの駆除作業が開始されると漫画やアニメのキャラクタ又は物語の登場人物の画像を表示して当該漫画やアニメ又は物語における特徴的なシーンや台詞によりコンピュータウィルスの駆除作業の状況を知らせることとしたのでユーザに不安を与えることなくしかも楽しんでコンピュータウィルスの検索、発見、駆除を行うことができるという優れた効果を有する。
【図１】
2004040449.tif 000003
【図２】
2004040449.tif 000004
【図３】
2004040449.tif 000005
【図４】
2004040449.tif 000006
【図５】
2004040449.tif 000007
【図６】
2004040449.tif 000008
【図７】
2004040449.tif 000009
【図８】
2004040449.tif 000010
【国際調査報告】
2004040449.tif 000011
2004040449.tif 000012
2004040449.tif 000013
2004040449.tif 000014